(57)【要約】【課題】効率的に短時間のうちに付着物を除去することができる養殖網洗浄装置を提供する。【解決手段】養殖網６を筐体３の入口１から出口２へ搬送する搬送手段７と、養殖網６の搬送経路５に向けて洗浄水を噴射する噴射部８とを備え、噴射部８の噴射ノズル８ａは搬送経路５の左右側方に設けられる。海苔網６は、搬送経路５を移動する間に、噴射ノズル８ａより左右側方から噴射される高圧水によって洗浄される。洗浄水が高圧であるため、その衝撃により洗浄力を高めることができる。また、養殖網６の左右側方から噴射することにより、養殖網６から剥がれ落ちた付着物が噴射ノズル８ａに付着しないですむため、洗浄能力の低下を防止できる。【選択図】図４
0003133277.tif 000002
【実用新案登録請求の範囲】
【請求項１】
養殖網を筐体の入口から出口へ搬送する搬送手段と、養殖網の搬送経路に向けて洗浄水を噴射する噴射部とを備え、該噴射部の噴射ノズルは搬送経路の左右側方に設けられ、左右側方から洗浄水を噴射することを特徴とする養殖網洗浄装置。
【請求項２】
前記噴射部は、左右方向に平行な軸周りに回転自在に軸支された回転体と、該回転体の周面に偏心して設けられた噴射ノズルとを有し、噴射ノズルからの噴射力の反力により回転体が回転することを特徴とする請求項１に記載の養殖網洗浄装置。
【請求項３】
前記噴射ノズルの噴射口は、多孔状であることを特徴とする請求項１又は２に記載の養殖網洗浄装置。
【請求項４】
前記搬送経路の上方を覆う飛散防止カバーが設けられたことを特徴とする請求項１〜３のいずれかに記載の養殖網洗浄装置。
【請求項５】
前記養殖網が海苔網であることを特徴とする請求項１〜４のいずれかに記載の養殖網洗浄装置。
【請求項６】
筐体の出口側に設けられた駆動ローラと押えローラとの間に海苔網を挟んで、海苔網を筐体の入口から出口へ牽引する搬送手段と、海苔網の搬送経路に向けて洗浄水を噴射する噴射部と、前記搬送経路の上方を覆う飛散防止カバーとを備え、
前記噴射部は、左右方向に平行な軸周りに回転自在に軸支された回転体と、該回転体の周面に偏心して設けられた多孔状の噴射ノズルとを有し、噴射ノズルからの噴射力の反力により回転体が回転することを特徴とする海苔網洗浄装置。
【考案の詳細な説明】
【技術分野】
【０００１】
本考案は、使用後の養殖網から、海苔の残骸及び珪藻類等の他の付着物を剥がし落とすための洗浄装置に関するものである。
【背景技術】
【０００２】
海苔、魚介類等の海洋生物の養殖で使用した養殖網の表面には、藻類や、海苔網の場合には摘み取った後の海苔の残骸等の付着物が付いている。これらの付着物は海苔の生育を阻害するため、養殖網を再利用するためには付着物を除去する必要がある。また、養殖網を使用せずに保管しておく際にも、これらの付着物が腐敗して臭いの原因となるため、除去しなければならない。
【０００３】
そこで、従来は、使用後の養殖網を回転式の洗濯機に入れ、多量の水を流しながら付着物を除去する方法を用いるのが一般的であった。
【０００４】
また、特許文献１には、海苔養殖中に使用するものではあるが、海苔網の洗浄方法が開示されている。具体的には、箱舟をひび網の下をくぐらせてひび網の長手方向に進行させながら、箱舟の進行側にあるひび網を水面下に押え、該ひび網を揺動又は振動させてひび網又は海苔原藻に附着する異物を沈降分離することを特徴とする海苔異物除去法である。
【特許文献１】特開２０００−０２３５３５号公報
【考案の開示】
【考案が解決しようとする課題】
【０００５】
しかしながら、従来の方法では大量の水を必要とし、しかも長時間揉み洗いを行うため、コスト面及び作業面でも非常に効率の悪いものとなっていた。また、特許文献１記載の方法によっても時間がかかり、作業効率が悪かった。
【０００６】
そこで、本考案は、上記課題を解決するためになされたもので、効率的に短時間のうちに付着物を除去することができる養殖網洗浄装置の提供を目的とするものである。
【課題を解決するための手段】
【０００７】
上記目的を達成するため、本考案は、養殖網を筐体の入口から出口へ搬送する搬送手段と、養殖網の搬送経路に向けて噴射ノズルから洗浄水を噴射する噴射部とを備え、噴射部の噴射ノズルは搬送経路の左右側方に設けられ、左右側方から洗浄水を噴射することを特徴とする養殖網洗浄装置である。養殖網を噴射ノズルで高圧洗浄することにより、その衝撃により付着物を除去することができる。また、養殖網の左右側方から噴射することにより、養殖網から剥がれ落ちた付着物が噴射ノズルに付着しないですむため、ノズルの洗浄能力の低下を防止できる。このように、短時間かつ少量の水で効率的に養殖網を洗浄することができる。
【０００８】
なお、噴射ノズルは、搬送経路よりも左右側方側であれば、その上下方向（垂直方向）の位置は限定されるものではなく、搬送経路に向けて噴射できる範囲で噴射ノズルの向きを傾斜させてもよい。また、洗浄水としては、水、お湯、洗剤等を含む水又はお湯等が挙げられるが、これらに限定されるものではない。
【０００９】
噴射部は、噴射ノズルの位置を固定した固定型のものでもよいが、左右方向に平行な軸周りに回転自在に軸支された回転体と、該回転体の周面に偏心して設けられた噴射ノズルとを有し、噴射ノズルからの噴射力の反力により回転体を回転させる回転型とすることができる。より具体的には、噴射ノズルからジェット噴流を起し、その噴射力の反動によリ、回転体と一体に噴射ノズルを回転させる。回転型のものを用いれば、噴射範囲が広くなり、噴射方向が変化するので、より付着物の除去効果が高まる。なお、回転体の軸方向の左右方向は水平方向に限定されるものではなく、搬送経路に向けて噴射できる範囲で上下に傾斜させてよいのは勿論である。
【００１０】
噴射ノズルの噴射口は、多孔状とすることができる。洗浄水の噴射範囲が広くなるので、より付着物の除去効果を高め、手早く洗浄することができる。
【００１１】
搬送経路の上方を覆う飛散防止カバーを設けることができる。飛散防止カバーにより、洗浄水が飛び散るのを防止することができる。
【００１２】
より具体的には、本発明は、筐体の出口側に設けられた駆動ローラと押えローラとの間に海苔網を挟んで、海苔網を筐体の入口から出口へ牽引する搬送手段と、海苔網の搬送経路に向けて洗浄水を噴射する噴射部と、搬送経路の上方を覆う飛散防止カバーとを備え、噴射部は、左右方向に平行な軸周りに回転自在に軸支された回転体と、回転体の周面に偏心して設けられた多孔状の噴射ノズルとを有し、噴射ノズルからの噴射力の反力により回転体が回転することを特徴とする海苔網洗浄装置とすることができる。
【考案の効果】
【００１３】
以上の説明から明らかな通り、本考案によると、養殖網を噴射ノズルで高圧洗浄するため、その衝撃により付着物を除去することができる。また、養殖網の左右方向から噴射することにより、養殖網から剥がれ落ちた付着物が噴射ノズルに付着しないですむため、ノズルの洗浄能力の低下を防止できる。したがって、短時間かつ少量の水で効率的に付着物を除去することができる。
【考案を実施するための最良の形態】
【００１４】
以下、本考案の実施形態である養殖網洗浄装置を図面に基づいて説明する。図１は本実施形態の養殖網洗浄装置の概略構成を示す側面図、図２はその入口側から見た図、図３はその出口側から見た図、図４は海苔網の洗浄状態を示す要部拡大図、図５は噴射ノズルの噴射面を示す図である。なお、図３は、飛散防止カバーを開けた状態である。
【００１５】
図１〜図３に示すように、本養殖網洗浄装置は、入口１及び出口２を有する筐体３と、入口１から出口２を連通し、ガイド４に上下左右を囲まれて形成される搬送経路５と、搬送経路５内の養殖網としての海苔網６を入口１から出口２側へ移動させる搬送手段７と、搬送経路５に向けて洗浄水を噴射する噴射部８と、搬送経路５の上方を開閉自在に覆う飛散防止カバー９と、搬送経路５の下方に位置し、洗浄水などを受けるホッパー１０とから構成される。また、筐体３の下部には本養殖網洗浄装置の動作を操作するための操作パネル１１が設けられる。また、筐体３の下面には車輪１２が設けられ、移動可能とされる。
【００１６】
ガイド４は、上部ガイド１３と下部ガイド１４とからなり、これらが搬送方向に間隔をあけて交互に設けられる。上部ガイド１３は、左右方向に延びる棒状部材１３ａからＵ字状に垂れ下がる規制部材１３ｂで上方を規制する。また、下部ガイド１４は、左右方向に延びる棒状部材１４ａと、そこから上方へ立設する２本の規制部材１４ｂによって、下方及び左右側方を規制する。このように、ガイド４が間隔をあけて設けられるため、噴射部８からの噴射を海苔網６に当てることができると共に、洗浄後の洗浄水や剥がれ落ちた付着物を下方のホッパー１０へ落とすことができる。
【００１７】
搬送手段７は、出口２付近に設けられ、軸回転自在なゴムローラである駆動ローラ１５と、駆動ローラ１５の回転を駆動する駆動モータ（不図示）と、軸回転自在に固定され、駆動ローラ１５上の海苔網６を押さえるゴムローラである押えローラ１６とから構成される。駆動ローラ１５と押えローラ１６とで海苔網６を挟みこむことにより、駆動ローラ１５の回転に伴い、海苔網６を入口１から出口２側へ搬送することができる。また、押えローラ１６は、シリンダー１７により上下に移動可能とされており、海苔網６のセットや取り外しをすることができる。なお、搬送手段７としてベルトコンベヤ等の他の手段を用いてもよい。
【００１８】
噴射部８は、高圧ポンプ（不図示）を介して水源（不図示）と接続された噴射ノズル８ａと、噴射ノズル８ａを支持する回転体８ｂとからなる。図４に示すように、回転体８ｂは、円柱状に形成され、搬送経路５の左右側方であって真横に、軸回転自在に設けられる。回転体８ｂの軸方向は左右方向と平行方向に設定される。この回転体８ｂの周面には、噴射ノズル８ａが偏心して取付られており、噴射ノズル８ａの噴射力の反力が駆動力となり、回転体８ｂが軸回転する。この回転体８ｂの回転と共に、噴射ノズル８ａも回転体８ｂの軸を中心として回転し、左右側方から搬送経路５へ向けて洗浄水を噴射するため、広範囲に噴射することができる。また、図５に示すように、噴射ノズル８ａの噴射面８ｃには噴射口８ｄが多孔状に形成される。洗浄水の噴射範囲が広くなるので、より付着物の除去効果を高め、手早く洗浄することができる
【００１９】
飛散防止カバー９は、筐体３の上面開口を覆うように設けられ、上面開口を開閉自在に設けられる。飛散防止カバー９により、洗浄中の洗浄液や付着物が飛散するのを防止することができる。
【００２０】
ホッパー１０は、搬送経路５の下に設けられ、下方の排出口１０ａには、洗浄水から付着物を分離するためのネット（不図示）が設けられる。
【００２１】
上記構成において、本養殖網洗浄装置の使用方法について説明する。まず、図３に示すように飛散防止カバー９を開け、シリンダー１７により押えローラ１６を上方に移動させる。海苔網６の一端を駆動ローラ１５の上に載せた後、押えローラ１６を下方へ移動させ、押えローラ１６と駆動ローラ１５とで海苔網６を挟み込む。飛散防止カバー９を閉めて、駆動モータにより駆動ローラ１５を回転させ、一定速度で海苔網６を牽引し入口１から出口２の方向へ移動させる。
【００２２】
海苔網６は、駆動ローラ１５に牽引されて搬送経路５を移動する間に、多孔回転型の噴射ノズル８ａから左右側方より噴射される高圧水によって洗浄される。洗浄水が高圧であるため、その衝撃により洗浄力を高めることができる。また、多孔回転型であることにより、広範囲な洗浄領域を確保でき、効率的に洗浄することができる。また、養殖網６の左右側方から噴射することにより、養殖網６から剥がれ落ちた付着物が噴射ノズル８ａに付着しないですむため、洗浄能力の低下を防止できる。このように、本養殖網洗浄装置によれば、短時間かつ少量の水で効率的に付着物を除去することができる。
【００２３】
剥ぎ取られた付着物は、洗浄水と共に下方に配されたホッパー１０に落ち、ホッパー１０の排出口１０ａに設けられたネットで洗浄水と分離される。
【００２４】
なお、本発明は上記実施形態に限定されるものではなく、本発明の範囲内で上記実施形態に多くの修正及び変更を加え得ることは勿論である。例えば、上記実施形態では、噴射ノズル８ａを左右に１組設けたが、搬送方向に２組以上を並べて設けてもよいし、左右側方だけでなく搬送経路５の上方や下方にもあわせて設けてもよい。より洗浄能力を高めることができる。
【００２５】
また、上記実施形態においては、搬送経路５を１つ設けたが、図６に示すように、搬送経路５を入口１側及び出口２側で複数に分岐するようにガイド４を設けてもよい。一度に複数の海苔網６を洗浄することができると共に、搬送経路５が入口１及び出口２で分岐しているため、海苔網６が互いに絡み合わないですむ。
【００２６】
また、上記実施形態では、養殖網として海苔網６を用いたが、その他の魚介類用の養殖網にも適用できる。
【図面の簡単な説明】
【００２７】
【図１】本実施形態の養殖網洗浄装置の概略構成を示す側面図
【図２】その入口側から見た図
【図３】その出口側から見た図
【図４】海苔網の洗浄状態を示す要部拡大図
【図５】噴射ノズルの噴射面を示す図
【図６】他の実施形態の養殖網洗浄装置の概略構成を示す図
【符号の説明】
【００２８】
１    入口
２    出口
３    筐体
４    ガイド
５    搬送経路
６    海苔網
７    搬送手段
８    噴射部
８ａ  噴射ノズル
８ｂ  回転体
８ｃ  噴射面
８ｄ  噴射口
９    飛散防止カバー
１０  ホッパー
１３  上部ガイド
１４  下部がイド
１５  駆動ローラ
１６  押えローラ
【図１】
0003133277.tif 000003
【図２】
0003133277.tif 000004
【図３】
0003133277.tif 000005
【図４】
0003133277.tif 000006
【図５】
0003133277.tif 000007
【図６】
0003133277.tif 000008